【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
粒子の表面処理を提供するために高温かつ顔料分散用溶媒の存在下でエポキシ化合物と反応した顔料粒子を含む顔料であって、
該表面処理された顔料粒子の個々の粉末は、溶媒の乾燥により得られ、
該エポキシ化合物は、一般式：
【化１】
2005343960.tif 000001
［式中、Ｒ１、Ｒ２、Ｒ３、Ｒ４およびＲ５は、それぞれ、独立して、水素、または置換もしくは非置換のアルキルであり、あるいは、Ｒ２およびＲ４は一緒になって５〜７員環を形成し得、そして
Ｒ６は、水素、−ＯＯＣＲ７、−ＯＲ８、−ＯＯＣ−ＣＲ９＝ＣＲ１０Ｒ１１；ジフェニル、フェニル、または置換もしくは非置換のアルキルもしくはシクロアルキルを含有するモノエポキシまたはポリエポキシ基；あるいはポリエーテル基を含有するモノエポキシまたはポリエポキシ基であり、
Ｒ７、Ｒ８、Ｒ１０およびＲ１１は、それぞれ、独立して、水素、置換もしくは非置換のアルキル、置換もしくは非置換のシクロアルキル、置換もしくは非置換のアリール、または置換もしくは非置換のアルケニルであり、
Ｒ９は、水素、またはアルキルであり、
但し、該エポキシ化合物はケイ素含有基を有さない］
を有する顔料。
【請求項２】
前記エポキシ化合物が１０００未満のエポキシ当量重量(epoxy equivalent weight)を有する、請求項１に記載の顔料。
【請求項３】
前記エポキシ化合物が、グリシジルエーテル類、グリシジルエステル類、脂環式エポキシ化合物、および脂環式ジエポキシ化合物からなる群から選択される、請求項１または２に記載の顔料。
【請求項４】
前記エポキシ化合物が、グリシジルメタクリレートおよびグリシジルアクリレートからなる群から選択される、請求項１〜３のいずれかに記載の顔料。
【請求項５】
分散剤、および該分散剤中に分散された顔料（ここで、該顔料の粒子は、該粒子の表面処理を提供するために高温かつ該顔料分散用溶媒の存在下でエポキシ化合物と反応され、その後、該溶媒が除去され、それによって、表面処理された顔料粒子を乾燥することにより得られる）を含む顔料ディスパージョンであって、該エポキシ化合物が、一般式：
【化２】
2005343960.tif 000002
［式中、Ｒ１、Ｒ２、Ｒ３、Ｒ４およびＲ５は、それぞれ、独立して、水素、または置換もしくは非置換のアルキルであり、あるいは、Ｒ２およびＲ４は一緒になって５〜７員環を形成し得、そして
Ｒ６は、水素、−ＯＯＣＲ７、−ＯＲ８、−ＯＯＣ−ＣＲ９＝ＣＲ１０Ｒ１１；ジフェニル、フェニル、または置換もしくは非置換のアルキルもしくはシクロアルキルを含有するモノエポキシまたはポリエポキシ基；あるいはポリエーテル基を含有するモノエポキシまたはポリエポキシ基であり、
Ｒ７、Ｒ８、Ｒ１０およびＲ１１は、それぞれ、独立して、水素、置換もしくは非置換のアルキル、置換もしくは非置換のアリール、または置換もしくは非置換のアルケニルであり、
Ｒ９は、水素またはアルキルであり、
但し、該エポキシ化合物はケイ素含有基を有さない］
を有する顔料ディスパージョン。
【請求項６】
前記エポキシ化合物が１０００未満のエポキシ当量重量を有する、請求項５に記載の顔料ディスパージョン。
【請求項７】
前記エポキシ化合物が、グリシジルエーテル類、グリシジルエステル類、脂環式エポキシ化合物、および脂環式ジエポキシ化合物からなる群から選択される、請求項５または６に記載の顔料ディスパージョン。
【請求項８】
前記エポキシ化合物が、グリシジルメタクリレートおよびグリシジルアクリレートからなる群から選択される、請求項５〜７のいずれかに記載の顔料ディスパージョン。
【請求項９】
顔料粒子を表面処理する方法であって、
溶媒の存在下で該顔料粒子とエポキシ化合物とを混合して、スラリーを形成すること；
該スラリーを加熱して該顔料粒子を該エポキシ化合物と反応させること；および
該スラリーから該溶媒を除去し、それによって、表面処理された顔料粒子を乾燥すること、
を包含し、
ここで、該エポキシ化合物が、一般式：
【化３】
2005343960.tif 000003
［式中、Ｒ１、Ｒ２、Ｒ３、Ｒ４およびＲ５は、それぞれ、独立して、水素、または置換もしくは非置換のアルキルであり、あるいは、Ｒ２およびＲ４は一緒になって５〜７員環を形成し得、そして
Ｒ６は、水素、−ＯＯＣＲ７、−ＯＲ８、−ＯＯＣ−ＣＲ９＝ＣＲ１０Ｒ１１；ジフェニル、フェニル、または置換もしくは非置換のアルキルもしくはシクロアルキルを含有するモノエポキシまたはポリエポキシ基；あるいはポリエーテル基を含有するモノエポキシまたはポリエポキシ基であり、
Ｒ７、Ｒ８、Ｒ１０およびＲ１１は、それぞれ、独立して、水素、置換もしくは非置換のアルキル、置換もしくは非置換のアリール、または置換もしくは非置換のアルケニルであり、
Ｒ９は、水素、またはアルキルであり、
但し、該エポキシ化合物はケイ素含有基を有さない］
を有する、方法。
【請求項１０】
前記エポキシ化合物が１０００未満のエポキシ当量重量を有する、請求項９に記載の方法。
【請求項１１】
前記エポキシ化合物が、グリシジルエーテル類、グリシジルエステル類、脂環式エポキシ化合物、および脂環式ジエポキシ化合物からなる群から選択される、請求項９又は１０に記載の方法。
【請求項１２】
前記エポキシ化合物が、グリシジルメタクリレートおよびグリシジルアクリレートからなる群から選択される、請求項９〜１１のいずれかに記載の方法。
【請求項１３】
前記溶媒を除去して、そして前記エポキシ化合物で処理された前記顔料粒子を乾燥する工程を更に包含する、請求項９〜１２のいずれかに記載の方法。
【請求項１４】
顔料粒子とエポキシ化合物との反応により、顔料粒子上に薄層が形成される、請求項１〜４のいずれかに記載の顔料。
【請求項１５】
顔料粒子とエポキシ化合物との反応により、顔料粒子上に薄層が形成される、請求項９〜１３のいずれかに記載の顔料粒子を表面処理する方法。
【請求項１６】
粒子の表面処理を提供するために顔料分散用溶媒の存在下でエポキシ化合物と反応した顔料粒子を含む顔料であって、
該エポキシ化合物が、顔料粒子の表面上に層を形成し、
該エポキシ化合物は、一般式：
【化４】
2005343960.tif 000004
［式中、Ｒ１、Ｒ２、Ｒ３、Ｒ４およびＲ５は、それぞれ、独立して、水素、または置換もしくは非置換のアルキルであり、あるいは、Ｒ２およびＲ４は一緒になって５〜７員環を形成し得、そして
Ｒ６は、水素、−ＯＯＣＲ７、−ＯＲ８、−ＯＯＣ−ＣＲ９＝ＣＲ１０Ｒ１１；ジフェニル、フェニル、または置換もしくは非置換のアルキルもしくはシクロアルキルを含有するモノエポキシまたはポリエポキシ基；あるいはポリエーテル基を含有するモノエポキシまたはポリエポキシ基であり、
Ｒ７、Ｒ８、Ｒ１０およびＲ１１は、それぞれ、独立して、水素、置換もしくは非置換のアルキル、置換もしくは非置換のシクロアルキル、置換もしくは非置換のアリール、または置換もしくは非置換のアルケニルであり、
Ｒ９は、水素、またはアルキルであり、
但し、該エポキシ化合物はケイ素含有基を有さない］
を有する顔料。
【請求項１７】
前記エポキシ化合物が１０００未満のエポキシ当量重量(epoxy equivalent weight)を有する、請求項１６に記載の顔料。
【請求項１８】
前記エポキシ化合物が、グリシジルエーテル類、グリシジルエステル類、脂環式エポキシ化合物、および脂環式ジエポキシ化合物からなる群から選択される、請求項１６または１７に記載の顔料。
【請求項１９】
前記エポキシ化合物が、グリシジルメタクリレートおよびグリシジルアクリレートからなる群から選択される、請求項１６〜１８のいずれかに記載の顔料。
【請求項２０】
顔料粒子とエポキシ化合物との反応により、顔料粒子上に薄層が形成される、請求項１６〜１９のいずれかに記載の顔料。